(57)【要約】  患者及び、医療管理者、或いは微粒子、汚染物質、細菌、ウイルス等の気中浮遊汚染物質か、又は口腔及び鼻道に侵入する他の危険粒子の潜在的な危険性がある他の領域で働く人の口及び鼻への汚染物質の侵入を阻止するために、外科用又は通気性マスクが用いられる。本発明は、逆帯電した汚染物質を誘引及び捕捉し、同様に帯電した汚染物質を寄せ付けない、静電場を作り出すことにより、これらマスクのフィルター効率の増大をもたらす。【選択図】なし【特許請求の範囲】
【請求項１】
使用者の鼻及び口を覆って着用される、有害汚染物質が実質的に透過しない通気性マスクを作製する方法であって、
a)  カチオン性又はアニオン性の特性を有する剤を含む製剤でマスクをコーティングすること、
b)  マスクの近傍に静電場を成立させるための剤を用いること、及び
b)  同様に帯電した汚染物質をマスクに寄せ付けず、逆帯電した汚染物質を誘引及び捕捉するための剤を用いること、
を含み、使用者の鼻及び口に到達する当該汚染物質をより少なくする、方法。
【請求項２】
マスクが実質的に布地の繊維から作製されており、前記方法が、先にカチオン性剤又はアニオン性剤により繊維をコーティングし、コーティングされた繊維からマスクを製造することを更に含む、請求項１の方法。
【請求項３】
マスクが実質的に非繊維性の材料から作製されており、前記方法が、材料からマスクを製造する前に、カチオン性剤又はアニオン性剤により材料をコーティングすることを更に含む、請求項１の方法。
【請求項４】
マスクのコーティングが使用前の時点で行われる、請求項１の方法。
【請求項５】
製剤が流体粘稠度を有し、当該製剤が液体又は懸濁液のいずれかである、請求項１の方法。
【請求項６】
マスクのコーティングがエアゾールスプレー又はポンプスプレーを用いて達成される、５の方法。
【請求項７】
使用者の鼻及び口を覆って着用される、有害汚染物質が実質的に透過しない通気性マスクであって、カチオン性剤又はアニオン性剤の適用で作製されるコーティングを含む、前記マスク。
【請求項８】
マスクが実質的に布地の繊維から作製され、当該マスクの製造前に繊維にコーティングが適用される、請求項７の通気性マスク。
【請求項９】
マスクが実質的に非繊維性材料から作製され、当該マスクの製造前に非繊維性材料にコーティングが適用される、請求項７の通気性マスク。
【請求項１０】
コーティングが、使用前の時点でマスクに適用される、請求項７の通気性マスク。
【請求項１１】
コーティングが、
・少なくとも1種の第4級コンディショナー；
・保湿剤；
・保存剤；及び
・殺生物剤
を更に含む製剤を含む、請求項７の通気性マスク。
【請求項１２】
製剤が水を更に含む、請求項１１の通気性マスク。
【請求項１３】
製剤中の少なくとも１種の第4級コンディショナーが
・ポリクオタニウム−6、
・ポリクオタニウム−7、
・ポリクオタニウム−10、
・ポリクオタニウム−22、
・ポリクオタニウム−70、
・マーコート280
・マーコート10
・マーコート5
・ココジモニウムヒドロキシプロピル加水分解ケラチン、
・4級化カラスムギ、加水分解カラスムギタンパク質、及び
・塩化ベンザルコニウム（Benzylkonium）
からなる群から選択される、請求項１１の通気性マスク。
【請求項１４】
製剤中の保湿剤がグリセリン又はアセトアミドMEAである、請求項１１の通気性マスク。
【請求項１５】
製剤中の保存剤が
・フェノキシエタノール、
・カプリリルグリコール、
・ソルビン酸、
・グルコノラクトン、
・安息香酸ナトリウム、
・メチルパラベン、及び
・エチルパラベン
からなる群から選択される、請求項１１の通気性マスク。
【請求項１６】
製剤中の殺生物剤が塩酸リジンである、請求項１１の通気性マスク。
【請求項１７】
製剤が皮膚軟化剤を更に含む、請求項１１の通気性マスク。
【請求項１８】
製剤中の皮膚軟化剤がジプロピレングリコールである、請求項１７の通気性マスク。
【請求項１９】
製剤が界面活性剤を更に含む、請求項１１の通気性マスク。
【請求項２０】
製剤中の界面活性剤がオクトキシノール-9である、請求項１９の通気性マスク。
【請求項２１】
製剤がキレート剤を更に含む、請求項１１の通気性マスク。
【請求項２２】
製剤中のキレート剤がEDTA四ナトリウムである、請求項２１の通気性マスク。
【請求項２３】
製剤が、調整して所望のpHを達成するために加えられる中和剤を更に含む、請求項１１の通気性マスク。
【請求項２４】
a）製剤中の水の量が25重量%〜95重量%の範囲であり、
b）製剤中の少なくとも1つの第4級コンディショナーの量が0.4重量%〜18重量%の範囲であり、
c）製剤中の保湿剤の量が1重量%〜11重量%の範囲であり、
d）製剤中の皮膚軟化剤の量が1重量%〜8重量%の範囲であり、
e）製剤中の保存剤の量が0.3重量%であり、且つ
f）製剤中の殺生物剤の量が0.1重量%〜0.5重量%の範囲である、請求項１７の通気性マスク。
【発明の詳細な説明】
【技術分野】
【０００１】
関連出願の相互参照
a)本願は、全てここで言及することにより本明細書中に組み込まれる、2008年8月26日に出願された米国特許仮出願番号第61/091,931号に対応するPCT国際出願（非仮出願）である。本出願は、前記米国特許仮出願の利益と優先権を主張するものである。
b)本願は、全てここで言及することにより本明細書に組み込まれる、2009年6月1日に出願されて係属中の、自らの米国特許出願番号第12/475,690号のPCT国際出願（継続出願）である。本出願は、前記米国特許非仮出願の利益と優先権を主張するものである。
【０００２】
技術分野
本発明は、気中浮遊微小粒子及び有害な気中浮遊汚染物質の伝搬を低減させるために用いられる、外科用及び他の通気性マスクの分野に関する。また同様の有害汚染物質から防護する静電的組成物の分野にも関する。
【背景技術】
【０００３】
背景技術
医療関係者、医療従事者及び医療施設への訪問者並びに患者は、手術室及び他の医療施設中に見受けられる有害な汚染物質により広がった感染に対して特に影響を受けやすい。その結果、医者及び看護師は、汚染物質が自身の体から患者に伝搬して感染させることを防ぐために、滅菌処理を採用し防護服着用する。外科用マスクは、医療従事者が、呼吸器分泌物により自身の細菌性生物が患者に伝搬することを防ぐために着用する。他の多くの人々が外科用又は他の通気性マスクを着用する。特にアジアの国々において、風邪の人が、他人に感染させることを避けるためにこれらマスクを着用する。逆に、空気感染の流行の期間は、多くの人々が感染を防ぐためにマスクを着用する。更に他の人々は、埃っぽい環境において、埃を吸入することを避けるためにマスクを着用する。
【０００４】
本願出願人は、以前に発明された、鼻道付近の領域中に静電場を作り出すことによって気中浮遊汚染物質の鼻道への流入を制限する製品及び方法を有している。これは、これら汚染物質を捕捉し、それらの体内への侵入を防ぐことにより、気中浮遊汚染物質の鼻道への流入を減少させた。これらの製品及び方法は、言及することにより本願に組み込まれる本願出願人の米国特許中及び米国特許仮出願中に見ることができる。
【発明の概要】
【０００５】
発明の要旨
医療関係者又は他の分野で働く、危険性粒子が口腔及び鼻道に侵入する危険がある人の口及び鼻への汚染物質の侵入を阻止するために、外科用及び他の通気性マスクが用いられる。しかしこれらのマスクは、依然極微小の粒子の通過を可能にする孔を有している。本発明は、静電荷をマスクに適用し、前記電荷は、0〜30ミクロンの大きさの範囲の、逆帯電した汚染物質を捕捉することによりこの危険性を低減し及び／又は無くする。
【発明を実施するための形態】
【０００６】
発明の詳細な説明
表面に適用した場合に静電場を作り出す種々のカチオン性及びアニオン性の液体が当該技術分野において公知である。一部は本願出願人の米国特許第5,468,488号（1995年11月21日発行）、第5,674,481号（1997年10月7日発行）、及び第6,844,005号（2005年1月18日発行）中に記載された。防護が求められる特定の汚染物質に依存して、マスクの布地が、これらの液体又は半固体製品のうちの1つでコーティングされる。適用後、コーティングは完全に乾燥されるか、又は半乾きにされるが、濡れたままにされていてもよい。コーティングの適用後、これらの製品はマスクの周囲に静電場をもたらし、それは同様に帯電した微粒子を寄せ付けないか、又は逆帯電した汚染物質粒子を誘引する。マスクにもたらされるそれら汚染物質粒子は、静電気引力によって布地に結合する。それらは、マスクから離れて移動することは無い。従って、マスクに誘引されるこれらの外部気中浮遊汚染物質は、マスク着用者の鼻及び口に侵入せず、且つ、マスクに誘引されて、着用者の鼻及び口から排斥されるこれらの汚染物質は、マスク中の通気性の孔よりも小さい可能性があるにもかかわらず、マスクを越えて進みはしない。他方、マスクに寄り付けなくされるそれらの粒子は、大きさに関係なく、いずれの方向にもマスクを通過しない。
【０００７】
実質的にマスクのフィルター効率を増大させる主目的で、上記製品全てを製造するための方法がいくつかある。
・マスクを作製するために用いられる布地は、それ自体が、乾燥して布地の一部となるカチオン性剤又はアニオン性剤によってコーティングされ得る。
・非布地のマスクを作製するために用いられる材料は、乾燥して材料の一部となるカチオン性剤又はアニオン性剤によってコーティングされ得る。
・完成品のマスクは、それ自体が、その包装前に乾燥してマスクの一部となるカチオン性剤又はアニオン性剤によってコーティングされ得る。
・カチオン性剤又はアニオン性剤は、任意のマスクのための「使用時」用にエアゾールスプレーか、又はポンプ作用を有するビンの状態で流通し得る。この剤は、効率を増大させるために、使用者により使用直前にマスクに適用されてもよい。
【０００８】
本発明の製剤は：
・少なくとも1種の第4級コンディショナー、
・保湿剤、
・保存剤、
・殺生物剤、及び
・pHを調整して5.0〜6.8の範囲を達成するために加える中和剤、
を含む。
皮膚軟化剤及び／又は界面活性剤及び／又はキレート剤を更に含んでもよい。当該製剤は水性基剤又は非水性基剤のいずれかを有し得る。従って、製剤の実施形態には水も含まれ得る。
【０００９】
そのような製剤の例示的な実施形態においては、水の量が64重量%〜77重量%；第4級コンディショナー（少なくとも1種が存在していなければならない）−0.4重量%〜18重量%；保湿剤−8重量%〜11重量%；皮膚軟化剤−3重量%〜6重量%；保存剤−0.3重量%；及び殺生物剤−0.2重量%〜0.5重量%の範囲であり得る。
【００１０】
そのような製剤の例示的な実施形態においては、第4級コンディショナーは、限定はされないが、以下： 
・ポリクオタニウム−6
・ポリクオタニウム−7
・ポリクオタニウム−10
・ポリクオタニウム−22
・ポリクオタニウム−70
・マーコート280
・マーコート10
・マーコート5
・ココジモニウム、ヒドロキシプロピル、加水分解ケラチン
・4級化カラスムギ、加水分解カラスムギタンパク質
・塩化ベンザルコニウム（benzylkonium）
の少なくとも1種を含み得る。
【００１１】
そのような製剤の例示的な実施形態においては、保湿剤はグリセリン又はアセトアミドMEAを含み得るが、限定はされない。また、例示的な実施形態においては、皮膚軟化剤はジプロピレングリコールを含み得るが、限定はされない。更に、例示的な実施形態においては、界面活性剤はオクトキシノール-9を含み得るが、限定はされない。更に、キレート剤はEDTA四ナトリウムを含み得るが、限定はされない。最後に、例示的な実施形態においては、殺生物剤は塩酸リジンを含み得るが、限定はされない。
【００１２】
そのような製剤の例示的な実施形態においては、保存剤は、限定はされないが、以下：
・フェノキシエタノール
・カプリリルグリコール
・ソルビン酸
・グルコノラクトン
・安息香酸ナトリウム
・メチルパラベン
・エチルパラベン
を含み得る。
【００１３】
製剤の例示的な実施形態においては、
a）製剤中の水の量が25重量%〜95重量%の範囲であり、
b）製剤中の少なくとも1種の第4級コンディショナーの量が0.4重量%〜18重量%の範囲であり、
c）製剤中の保湿剤の量が1重量%〜11重量%の範囲であり、
d）製剤中の皮膚軟化剤の量が1重量%〜8重量%の範囲であり、
e）製剤中の保存剤の量が0.3重量%であり、且つ
f）製剤中の殺生物剤の量が0.1重量%〜0.5重量%の範囲である。
【実施例】
【００１４】
典型的な製剤の実施例は表１〜１０中（以下）に現れる。
【００１５】
【表１】
2012504974.tif 000002
【００１６】
【表２】
2012504974.tif 000003
【００１７】
【表３】
2012504974.tif 000004
【００１８】
【表４】
2012504974.tif 000005
【００１９】
【表５】
2012504974.tif 000006
【００２０】
【表６】
2012504974.tif 000007
【００２１】
【表７】
2012504974.tif 000008
【００２２】
【表８】
2012504974.tif 000009
【００２３】
【表９】
2012504974.tif 000010
【００２４】
【表１０】
2012504974.tif 000011
【国際調査報告】
2012504974.tif 000012
2012504974.tif 000013